(57)【要約】【課題】簡潔な操作によって照明装置の動作モードの切り替えとモードの定義とを実現する。【解決手段】照明部と、ユーザが上記照明部の動作モードの切り替えを指示していることを示す信号を受信する切替信号受信部と、音声データを取得する音声取得部と、上記音声データを外部装置に送信し、上記外部装置が上記音声データに基づいて提供するモード定義情報を受信するモード定義情報受信部と、上記信号によって上記動作モードの切り替えが指示された場合に、上記モード定義情報に従って上記照明部の動作モードを切り替えるモード切替部とを備える照明装置が提供される。【選択図】図１
2015222910.tif 000002
【特許請求の範囲】
【請求項１】
照明部と、
ユーザが前記照明部の動作モードの切り替えを指示していることを示す信号を受信する切替信号受信部と、
音声データを取得する音声取得部と、
前記音声データを外部装置に送信し、前記外部装置が前記音声データに基づいて提供するモード定義情報を受信するモード定義情報受信部と、
前記信号によって前記動作モードの切り替えが指示された場合に、前記モード定義情報に従って前記照明部の動作モードを切り替えるモード切替部と
を備える照明装置。
【請求項２】
前記モード定義情報は、セキュリティモードの定義情報を含み、
前記モード切替部は、前記信号によって前記動作モードを前記セキュリティモードに切り替えることが指示された場合に、外部のセキュリティ装置にコマンドを送信する、請求項１に記載の照明装置。
【請求項３】
前記モード定義情報は、前記ユーザが視聴しているテレビ番組に連動するモードの定義情報を含み、
前記モード切替部は、前記信号によって前記動作モードの切り替えが指示された場合に、前記ユーザが視聴しているテレビ番組を検出し、該テレビ番組の属性を前記照明部の照明状態に反映させる、請求項１に記載の照明装置。
【請求項４】
前記切替信号受信部は、前記ユーザによるテレビ番組の視聴開始を前記動作モードの切替指示として検出する、請求項３に記載の照明装置。
【請求項５】
前記モード定義情報は、前記ユーザが聴取している楽曲に連動するモードの定義情報を含み、
前記モード切替部は、前記信号によって前記動作モードの切り替えた指示された場合に、前記ユーザが聴取している楽曲を検出し、該楽曲の属性を前記照明部の動作モードに反映させる、請求項１に記載の照明装置。
【請求項６】
前記モード定義情報受信部は、前記音声データに含まれる音声を発したユーザに個人化された前記モード定義情報を受信する、請求項１に記載の照明装置。
【請求項７】
前記切替信号受信部は、電源電流に重畳して送信された所定のパターンのパルス信号を前記動作モードの切替指示として検出する、請求項１に記載の照明装置。
【請求項８】
前記モード定義情報受信部は、さらに、前記照明部の状況、前記動作モードの切替履歴、または前記音声データの取得履歴の少なくともいずれかを前記外部装置に送信し、前記外部装置が前記照明部の状況、前記動作モードの切替履歴、または前記音声データの取得履歴の少なくともいずれかに基づいて選択した前記モード定義情報を受信する、請求項１に記載の照明装置。
【請求項９】
照明部を有する装置のプロセッサに、
ユーザが前記照明部の動作モードの切り替えを指示していることを示す信号を受信する機能と、
音声データを取得する機能と、
前記音声データを外部装置に送信し、前記外部装置が前記音声データに基づいて提供するモード定義情報を受信する機能と、
前記信号によって前記動作モードの切り替えが指示された場合に、前記モード定義情報に従って前記照明部の動作モードを切り替える機能と
を実現させるためのプログラムが記録された記録媒体。
【請求項１０】
ユーザが照明部の動作モードの切り替えを指示していることを示す信号を受信する切替信号受信部と、
音声データに基づいて提供されるモード定義情報を受信するモード定義情報受信部と、
前記信号によって前記動作モードの切り替えが指示された場合に、前記モード定義情報に従って前記照明部の動作モードを切り替えるモード切替部と
を備える情報処理装置。
【発明の詳細な説明】
【技術分野】
【０００１】
本開示は、照明装置および記録媒体に関する。
【背景技術】
【０００２】
最近の照明装置は、単に照明を点灯および消灯させるだけではなく、照度を調節したり、光の色合いを変化させたりするなど、多様な動作モードの設定が可能になっている。照明装置の動作モードを切り替えるための技術として、例えば、特許文献１には、一般的な照明スイッチと、当該スイッチのＯＦＦ時間を検出して照明装置の動作モードを切り替える制御回路とを含む技術が記載されている。このような技術によれば、特殊なスイッチを用意しなくても、照明装置の動作モードを切り替えることができる。
【先行技術文献】
【特許文献】
【０００３】
【特許文献１】実用新案登録第３１６８０６９号公報
【発明の概要】
【発明が解決しようとする課題】
【０００４】
しかしながら、特許文献１に記載された技術では、ユーザがスイッチＯＦＦ操作の時間幅を調整することによって、動作モードを選択することができる。しかしながら、ＯＦＦ操作の時間幅の調整は、ユーザの時間感覚に依存するため、必ずしもすべてのユーザが、所望の通りに照明装置の動作モードを選択できるとは限らない。また、動作モード自体の定義については別途の操作が必要になるため、個々のユーザに適合した動作モードを設定することは必ずしも容易ではなかった。
【０００５】
そこで、本開示では、簡潔な操作によって照明装置の動作モードの切り替えとモードの定義とを実現することを可能にする、新規かつ改良された照明装置および記録媒体を提案する。
【課題を解決するための手段】
【０００６】
本開示によれば、照明部と、ユーザが上記照明部の動作モードの切り替えを指示していることを示す信号を受信する切替信号受信部と、音声データを取得する音声取得部と、上記音声データを外部装置に送信し、上記外部装置が上記音声データに基づいて提供するモード定義情報を受信するモード定義情報受信部と、上記信号によって上記動作モードの切り替えが指示された場合に、上記モード定義情報に従って上記照明部の動作モードを切り替えるモード切替部とを備える照明装置が提供される。
【０００７】
また、本開示によれば、照明部を有する装置のプロセッサに、ユーザが上記照明部の動作モードの切り替えを指示していることを示す信号を受信する機能と、音声データを取得する機能と、上記音声データを外部装置に送信し、上記外部装置が上記音声データに基づいて提供するモード定義情報を受信する機能と、上記信号によって上記動作モードの切り替えが指示された場合に、上記モード定義情報に従って上記照明部の動作モードを切り替える機能とを実現させるためのプログラムが記録された記録媒体が提供される。
【０００８】
また、本開示によれば、ユーザが照明部の動作モードの切り替えを指示していることを示す信号を受信する切替信号受信部と、音声データに基づいて提供されるモード定義情報を受信するモード定義情報受信部と、上記信号によって上記動作モードの切り替えが指示された場合に、上記モード定義情報に従って上記照明部の動作モードを切り替えるモード切替部とを備える情報処理装置が提供される。
【発明の効果】
【０００９】
以上説明したように本開示によれば、簡潔な操作によって照明装置の動作モードの切り替えとモードの定義とを実現することができる。
【００１０】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】本開示の一実施形態に係るシステムの概要を示すブロック図である。
【図２】本開示の一実施形態におけるモード定義情報に関する処理の例を示すフローチャートである。
【図３】本開示の一実施形態におけるモード切り替えに関する処理の例を示すフローチャートである。
【図４】図３に示されたテレビ番組属性反映処理の例を示すフローチャートである。
【図５】図３に示された楽曲属性反映処理の例を示すフローチャートである。
【図６】本開示の実施形態に係る情報処理装置のハードウェア構成例を示すブロック図である。
【発明を実施するための形態】
【００１２】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１３】
なお、説明は以下の順序で行うものとする。
１．システム構成
２．モード定義情報に関する処理
３．モード切り替えに関する処理
４．ハードウェア構成
５．補足
【００１４】
（１．システム構成）
図１は、本開示の一実施形態に係るシステムの概要を示すブロック図である。図１を参照すると、本実施形態に係るシステムは、電源ライン１０と、手元スイッチ２０と、照明装置３０と、スマートフォン４０とを含む。
【００１５】
図示されたシステムにおいて、電源ライン１０は、手元スイッチ２０に電源を供給する。手元スイッチ２０は、例えば照明装置３０が設置された居室の壁面などに配置され、照明装置３０に電源を供給するとともに、ユーザのスイッチ操作に応じて、電源電流に照明装置３０の動作モードを切り替えるためのパルス信号を重畳させる。照明装置３０は、手元スイッチ２０から供給される電源によって点灯するとともに、電源電流に重畳されるパルス信号に応じて動作モードを変更する。
【００１６】
一方、照明装置３０は、マイクロフォンを用いてユーザの発話音声を示す音声信号を取得し、該取得された音声信号をスマートフォン４０に送信する。スマートフォン４０は、音声認識機能および対話音声生成機能を有しており、照明装置３０から受信された音声信号を解析してユーザの発話音声の意味内容を抽出するとともに、これに応答する音声を生成する。あるいは、スマートフォン４０は、発話音声の意味内容に基づいて照明装置３０の動作モードの定義情報を生成または更新し、該生成または更新された定義情報を照明装置３０に送信する。
【００１７】
さらに、照明装置３０は、スマートフォン４０によって生成された応答音声をスピーカから出力するとともに、生成または更新された定義情報がスマートフォン４０から受信された場合には、内部で保持されている動作モードの定義情報を更新する。以後、手元スイッチ２０から電源電流に重畳してパルス信号が送信された場合、照明装置３０は、更新された定義情報に従って動作モードを変更する。以下、手元スイッチ２０、照明装置３０、およびスマートフォン４０の構成要素について、さらに説明する。
【００１８】
手元スイッチ２０は、電源スイッチ２１と、パルススイッチ２２と、パルス合成器２３とを含む。電源スイッチ２１とパルススイッチ２２とは、例えば、一体化されたシーソースイッチとプッシュスイッチとによって構成される。この場合、シーソースイッチとして提供される電源スイッチ２１をＯＮにした状態でさらに押し込むと、プッシュスイッチとして提供されるパルススイッチがＯＮになる。パルススイッチ２２がＯＮになると、パルス合成器２３が、所定のパターンのパルス信号を電源電流に重畳して照明装置３０に送信する。
【００１９】
ここで、パルス合成器２３によって電源電流に重畳されるパルス信号は、予め設定されたフォーマットに従って生成されうる。パルス信号のフォーマットは、例えば、１００ｍｓ程度のＯＦＦ信号、または１００ｋＨｚ程度の高周波微弱信号などを含んでもよい。また、パルス発生機能は、例えば半導体素子を用いて電子的に実装されてもよいし、機械的に実装されてもよい。
【００２０】
照明装置３０は、パルス検出器３１と、照明制御回路３２と、照明部３３と、音声回路３４と、無線通信回路３５と、スピーカ３６と、マイクロフォン３７とを含む。パルス検出器３１は、手元スイッチ２０から電源電流に重畳して送信された所定のパターンのパルス信号を検出する。照明制御回路３２は、検出されたパルス信号に応じて照明部３３の動作モードを切り替える。照明部３３の動作モードは、例えばモード定義情報３８として、照明装置３０の内部で保持されている。動作モードでは、例えば、照明部３３に含まれる１または複数の照明装置の照度の組み合わせや点灯パターンなどが定義される。モード定義情報３８は、インクリメンタルなモード番号のそれぞれに対応付けて複数の動作モードを定義してもよい。この場合、照明制御回路３２は、パルス検出器３１によってパルス信号が検出される度にモード番号をインクリメントさせ、モード番号が最大値に達した場合には初期値に戻すことによって照明部３３の動作モードを変更してもよい。
【００２１】
一方、照明装置３０において、マイクロフォン３７は、ユーザの発話音声を集音して音声信号に変換する。音声信号は、音声回路３４での所定の信号処理を経て、無線通信回路３５が実行する無線通信によってスマートフォン４０に送信される。さらに、照明装置３０では、後述するようにスマートフォン４０から操作コマンドが送信された場合、無線通信回路３５がこれを受信し、照明制御回路３２が、操作コマンドに従ってモード定義情報３８を追加または更新する。以後、受信された操作コマンドに従って追加または更新されたモード定義情報３８に従って、照明制御回路３２が照明部３３の動作モードを切り替える。また、後述するようにスマートフォン４０から応答の音声信号が送信された場合、無線通信回路３５がこれを受信し、スピーカ３６から応答音声が出力される。
【００２２】
なお、上記の照明装置３０において、パルス検出器３１は、ユーザが照明部の動作モードの切り替えを指示していることを示す信号を受信する切替信号受信部ともいえる。マイクロフォン３７は、音声データを取得する音声取得部ともいえる。無線通信回路３５は、音声データを外部装置に送信し、外部装置が音声データに基づいて提供するモード定義情報を受信するモード定義情報受信部ともいえる。照明制御回路３２は、信号によって動作モードの切り替えが指示された場合に、モード定義情報に従って照明部の動作モードを切り替えるモード切替部ともいえる。
【００２３】
スマートフォン４０は、音声対話エージェント４１と、音声認識辞書４２と、対話シナリオ４３と、命令辞書４４とを含む。音声対話エージェント４１は、スマートフォン４０のプロセッサがメモリに格納されたプログラムに従って動作することによって実現される機能でありうる。音声認識辞書４２、対話シナリオ４３、および命令辞書４４は、スマートフォン４０のメモリもしくはストレージ、またはスマートフォン４０が利用可能なネットワーク上のストレージに格納されたデータでありうる。
【００２４】
上記のように照明装置３０からユーザの発話音声を示す音声信号を受信した音声対話エージェント４１は、音声認識辞書４２を参照して、音声信号の特徴から音声の意味内容を抽出する。さらに、音声対話エージェント４１は、命令辞書４４を参照して、音声信号に対応するユーザの発話音声によって意図されていた命令を解釈する。音声対話エージェント４１は、さらに、命令を、照明部３３の動作モードの定義を示す操作コマンドに変換して、該操作コマンドを照明装置３０に送信する。あるいは、音声対話エージェント４１は、ユーザの発話音声から明確な命令が抽出されず、さらなる対話が必要であると判断される場合には、ユーザに対する応答の音声信号を生成して照明装置３０に送信してもよい。
【００２５】
ここで、音声対話エージェント４１は、例えば、予め用意された動作モードの定義の中から、発話音声によって与えられたユーザの命令に適合した定義を選択してもよい。例えば、動作モードが、消灯までのタイマーの有無／設定時間、照度、照明の色、ＢＧＭの有無／内容などの項目について設定されている場合、音声対話エージェント４１は、これらの項目の一部または全部を、ユーザの命令に従って選択することによって動作モードの定義を生成してもよい。さらに、このとき、音声対話エージェント４１は、照明装置３０における現在の照明部３３の状態、照明部３３の切り替え履歴、または照明装置３０におけるユーザの発話音声の音声データの取得履歴の少なくともいずれかに基づいて、動作モードの定義を選択してもよい。また、音声対話エージェント４１は、音声データの解析によって音声を発したユーザを特定し、当該ユーザに個人化された動作モードの定義を生成してもよい。この場合、照明装置３０の無線通信回路３５は、音声データに含まれる音声を発したユーザに個人化されたモード定義情報を受信する。
【００２６】
（２．モード定義情報に関する処理）
図２は、本開示の一実施形態におけるモード定義情報に関する処理の例を示すフローチャートである。図示された処理は、図１に示したシステムの照明装置３０において、マイクロフォン３７がユーザの発話音声に対応する音声データを取得した場合に実行される（Ｓ１０１）。この場合、無線通信回路３５が、音声回路３４での信号処理を経た音声データをスマートフォン４０に送信する（Ｓ１０３）。さらに、無線通信回路３５は、スマートフォン４０から応答音声を受信する（Ｓ１０５）。応答音声は、上記のように、スマートフォン４０の音声対話エージェント４１が、明確な命令を抽出できなかったためにさらなる対話が必要であると判断した場合に送信されるだけでなく、音声対話エージェント４１が発話音声から明確な命令を抽出できた場合にも、例えば確認のために送信されうる。受信された応答音声は、スピーカ３６から出力される。
【００２７】
ここで、ユーザと音声対話エージェント４１との対話が終了した場合（Ｓ１０７）、無線通信回路３５が音声対話エージェント４１からモード定義情報を示す操作コマンドを受信する（Ｓ１０９）。照明制御回路３２は、受信された操作コマンドに基づいて、照明装置３０において記憶されたモード定義情報３８を更新する（Ｓ１１１）。一方、Ｓ１０７の判定において対話が終了しない場合、引き続き、ユーザの発話音声に対応する音声データのスマートフォン４０への送信（Ｓ１０３）と、スマートフォン４０からの応答音声の受信（Ｓ１０５）および応答音声のユーザへの出力とが繰り返される。
【００２８】
以上のような処理によって、照明装置３０では、ユーザの発話音声によって照明部３３の動作モードの定義を生成または更新することができる。このような処理のより具体的な例として、ユーザの発話音声と音声対話エージェント４１からの応答音声とによって構成される対話の例を示す。
【００２９】
（対話の例・１）
ユーザ：「照明設定」
エージェント：「照明の設定を行います。モードの読み上げ、追加、変更、削除ができます」（ユーザの発話を促すための効果音。効果音について以下同様）
ユーザ：「読み上げ」
エージェント：「１番  活動モード、２番  リラックスモード、３番  シアターモードです」（効果音）
ユーザ：「おやすみモード追加」
エージェント：「おやすみモードを４番に追加しました。１０分後に、照明が暗くなります。ＢＧＭは設定されていません」（効果音）
ユーザ：「おわり」
エージェント：「照明の設定を終わります」
【００３０】
（対話の例・２）
ユーザ：「照明を設定して！」
エージェント：「照明の設定を行います。モードの読み上げ、追加、変更、削除ができます」（効果音）
ユーザ：「おやすみモード変更」
エージェント：「おやすみモードは、タイマー１０分、明るさは暗く、ＢＧＭ無しに設定されています」（効果音）
ユーザ：「ＢＧＭをＯＮにして」
エージェント：「おやすみモードのＢＧＭをＯＮに変更しました」（効果音）
ユーザ：「ありがとう」
エージェント：「どういたしまして」
【００３１】
（３．モード切り替えに関する処理）
図３は、本開示の一実施形態におけるモード切り替えに関する処理の例を示すフローチャートである。図示された処理は、図１に示したシステムの照明装置３０において、パルス検出器３１が手元スイッチ２０からの電源電流に重畳して送信された所定のパターンのパルス信号（切替信号）を受信した場合に実行される（Ｓ２０１）。この場合、照明制御回路３２が、モード定義情報３８を参照して、照明部３３の動作モードを切り替える（Ｓ２０３）。
【００３２】
なお、図示された例では、照明部３３の動作モードとして、通常モード（モード番号：１）、セキュリティモード（モード番号：２）、テレビ連携モード（モード番号：３）、および楽曲連携モード（モード番号：４）が設定されている。つまり、図示された例では、過去のいずれかの時点において、無線通信回路３５がスマートフォン４０から受信したモード定義情報に、セキュリティモードと、テレビ連携モードと、楽曲連携モードとを定義する情報が含まれる。照明制御回路３２は、例えば、切替信号が受信される度に、使用する動作モードのモード番号をインクリメントさせることによって、動作モードを切り替える。なお、それぞれのモードにおける動作の例については、続いて説明する。
【００３３】
まず、切り替え後の動作モードがセキュリティモードである場合（Ｓ２０５）、照明制御回路３２は、照明部３３の発光パターンを通常照明と防犯灯との間で切り替えるとともに（Ｓ２０６）、外部のセキュリティ装置にコマンドを送信する（Ｓ２０７）。送信されるコマンドは、例えば、照明部３３の発光パターンが通常照明である場合にはセキュリティ装置によって提供されるセキュリティシステムを解除し、照明部３３の発光パターンが防犯灯である場合にはセキュリティシステムを有効にすることを示すものでありうる。
【００３４】
次に、切り替え後の動作モードがテレビ連携モードである場合（Ｓ２０９）、照明制御回路３２は、後述するテレビ番組属性反映処理を実行する（Ｓ２１１）。また、切り替え後の動作モードが楽曲連携モードである場合（Ｓ２１３）、照明制御回路３２は、後述する楽曲属性反映処理を実行する（Ｓ２１５）。切り替え後の動作モードが上記のいずれのモードでもなかった場合、照明制御回路３２は通常モードで動作し（Ｓ２１７）、シンプルに照明部３３のＯＮ／ＯＦＦや照度の切り替えを実行する。
【００３５】
図４は、図３に示されたテレビ番組属性反映処理の例を示すフローチャートである。図３を参照すると、テレビ番組属性反映処理において、まず、照明制御回路３２は、ユーザが視聴中のテレビ番組を検出する（Ｓ２１１１）。視聴中のテレビ番組は、例えば、無線通信回路３５が、スマートフォン４０を介して、テレビを含む家庭内のネットワークに接続し、テレビが放映中の番組の情報を取得することによって検出される。あるいは、視聴中のテレビ番組は、ユーザがスマートフォン４０をリモートコントローラとして用いてテレビを操作しているような場合には、スマートフォン４０から取得される情報に基づいて検出されてもよい。
【００３６】
次に、照明制御回路３２は、検出されたテレビ番組の属性を特定する（Ｓ２１１３）。例えば、テレビ番組の検出時にＥＰＧ（Electronic  Program  Guide）などのメタ情報が同時に取得される場合には、これらの情報からテレビ番組の属性を特定することができる。また、メタ情報を伴わないテレビ番組のタイトルだけが取得されるような場合には、無線通信回路３５が、スマートフォン４０を介して、ネットワーク上で提供される番組情報サービスへの問い合わせを実行してもよい。
【００３７】
次に、照明制御回路３２は、テレビ番組の属性に応じて照明部３３による照明状態を変更する（Ｓ２１１５）。例えば、照明制御回路３２は、テレビ番組が映画やテレビドラマである場合には照明をやや暗くしたり（いわゆるシアターモードであってもよい）、テレビ番組がバラエティーショーである場合には照明を明るくしたりしてもよい。
【００３８】
なお、上記のようなテレビ連携モードが設定される場合、パルス検出器３１とともに、またはこれに代えて、ユーザによるテレビ番組の視聴開始を照明部３３の動作モードの切り替え指示として検出する番組視聴開始検出部が、切り替え信号受信部として照明装置３０に含まれてもよい。
【００３９】
図５は、図３に示された楽曲属性反映処理の例を示すフローチャートである。図４を参照すると、楽曲属性反映処理において、まず、照明制御回路３２は、ユーザが聴取中の楽曲を検出する（Ｓ２１５１）。聴取中の楽曲は、例えば、無線通信回路３５が、スマートフォン４０を介して、楽曲を再生しているプレーヤを含む家庭内のネットワークに接続し、プレーヤが再生中の楽曲の情報を取得することによって検出される。あるいは、聴取中の楽曲は、照明装置３０のマイクロフォン３７、またはスマートフォン４０のマイクロフォンが取得した楽曲の音声に対応する音声信号を、ネットワーク上で提供される楽曲検出サービスなどを利用して解析することによって検出されてもよい。
【００４０】
次に、照明制御回路３２は、検出された楽曲の属性を特定する（Ｓ２１５３）。例えば、楽曲の検出時に、ＭＰ３ファイルにおけるＩＤ３タグのようなメタ情報が同時に取得される場合には、これらの情報から楽曲の属性を特定することができる。また、メタ情報を伴わない楽曲のタイトルだけが取得されるような場合には、無線通信回路３５が、スマートフォン４０を介して、ネットワーク情報で提供される楽曲情報サービスへの問い合わせを実行してもよい。
【００４１】
次に、照明制御回路３２は、楽曲の属性に応じて照明部３３による照明状態を変更する（Ｓ２１５５）。例えば、照明制御回路３２は、楽曲のテンポに応じて照明を明るく／暗くしたり、楽曲にジャンルに応じて照明の色を変更したりしてもよい。
【００４２】
なお、上記の例では、照明状態にテレビ番組や楽曲の属性を反映させる処理が実行されたが、本開示の実施形態はこのような例には限られない。例えば、ユーザが、テレビ番組以外の何らかの動画（ユーザが撮影したものであってもよい）を視聴している場合や、静止画を閲覧している場合にも、これらのコンテンツを検出し、コンテンツの属性に応じて照明部３３の照明状態が変更されてもよい。
【００４３】
以上で説明した本開示の一実施形態では、照明装置３０が、操作の確実性が必要とされる照明部３３の動作モードの切り替えを電源電流に重畳されるパルス信号に応じて実施する一方で、複雑な操作を必要とする動作モードの定義の生成や変更については、マイクロフォン３７によって取得される音声入力に基づいて実施する。このように、モードの切り替えと定義とで操作入力の方法を違えることによって、それぞれの操作に適した簡潔な操作によって照明装置３０の設定を実行することができる。
【００４４】
なお、上記の実施形態では、切替信号が電源電流に重畳されるパルス信号として例示されたが、本開示の実施形態はこのような例には限られない。例えば、上述のように、ユーザがテレビ番組の視聴を開始したことが切替信号として検出されてもよいし、ユーザが楽曲の聴取を開始したことが切替信号として検出されてもよい。上記の実施形態のように電源電流に重畳されるパルス信号を切替信号として検出する場合、例えば手元スイッチ２０において一体化された電源スイッチ２１およびパルススイッチ２２を提供することによって、ユーザは従来の電源操作に近い簡潔な操作でモード切り替えを実行することができる。また、この場合、照明装置３０は、パルス信号を重畳する機能を有さない従来の手元スイッチと組み合わせて使用することも可能である（通常のＯＮ／ＯＦＦ機能は使用できる）。
【００４５】
（４．ハードウェア構成）
次に、図６を参照して、本開示の実施形態に係る情報処理装置のハードウェア構成について説明する。図６は、本開示の実施形態に係る情報処理装置のハードウェア構成例を示すブロック図である。図示された情報処理装置９００は、例えば、上記の実施形態におけるスマートフォン４０を実現しうる。また、照明装置３０も、照明部３３に加えて下記の情報処理装置９００のようなハードウェア構成を有することによって、照明制御回路３２や無線通信回路３５などの機能を実現してもよい。
【００４６】
情報処理装置９００は、ＣＰＵ（Central  Processing  unit）９０１、ＲＯＭ（Read  Only  Memory）９０３、およびＲＡＭ（Random  Access  Memory）９０５を含む。また、情報処理装置９００は、ホストバス９０７、ブリッジ９０９、外部バス９１１、インターフェース９１３、入力装置９１５、出力装置９１７、ストレージ装置９１９、ドライブ９２１、接続ポート９２３、通信装置９２５を含んでもよい。さらに、情報処理装置９００は、必要に応じて、撮像装置９３３、およびセンサ９３５を含んでもよい。情報処理装置９００は、ＣＰＵ９０１に代えて、またはこれとともに、ＤＳＰ（Digital  Signal  Processor）またはＡＳＩＣ（Application  Specific  Integrated  Circuit）と呼ばれるような処理回路を有してもよい。
【００４７】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って、情報処理装置９００内の動作全般またはその一部を制御する。ＲＯＭ９０３は、ＣＰＵ９０１が使用するプログラムや演算パラメータなどを記憶する。ＲＡＭ９０５は、ＣＰＵ９０１の実行において使用するプログラムや、その実行において適宜変化するパラメータなどを一次記憶する。ＣＰＵ９０１、ＲＯＭ９０３、およびＲＡＭ９０５は、ＣＰＵバスなどの内部バスにより構成されるホストバス９０７により相互に接続されている。さらに、ホストバス９０７は、ブリッジ９０９を介して、ＰＣＩ（Peripheral  Component  Interconnect/Interface）バスなどの外部バス９１１に接続されている。
【００４８】
入力装置９１５は、例えば、マウス、キーボード、タッチパネル、ボタン、スイッチおよびレバーなど、ユーザによって操作される装置である。入力装置９１５は、例えば、赤外線やその他の電波を利用したリモートコントロール装置であってもよいし、情報処理装置９００の操作に対応した携帯電話などの外部接続機器９２９であってもよい。入力装置９１５は、ユーザが入力した情報に基づいて入力信号を生成してＣＰＵ９０１に出力する入力制御回路を含む。ユーザは、この入力装置９１５を操作することによって、情報処理装置９００に対して各種のデータを入力したり処理動作を指示したりする。
【００４９】
出力装置９１７は、取得した情報をユーザに対して視覚的または聴覚的に通知することが可能な装置で構成される。出力装置９１７は、例えば、ＬＣＤ（Liquid  Crystal  Display）、ＰＤＰ（Plasma  Display  Panel）、有機ＥＬ（Electro-Luminescence）ディスプレイなどの表示装置、スピーカおよびヘッドホンなどの音声出力装置、ならびにプリンタ装置などでありうる。出力装置９１７は、情報処理装置９００の処理により得られた結果を、テキストまたは画像などの映像として出力したり、音声または音響などの音声として出力したりする。
【００５０】
ストレージ装置９１９は、情報処理装置９００の記憶部の一例として構成されたデータ格納用の装置である。ストレージ装置９１９は、例えば、ＨＤＤ（Hard  Disk  Drive）などの磁気記憶部デバイス、半導体記憶デバイス、光記憶デバイス、または光磁気記憶デバイスなどにより構成される。このストレージ装置９１９は、ＣＰＵ９０１が実行するプログラムや各種データ、および外部から取得した各種のデータなどを格納する。
【００５１】
ドライブ９２１は、磁気ディスク、光ディスク、光磁気ディスク、または半導体メモリなどのリムーバブル記録媒体９２７のためのリーダライタであり、情報処理装置９００に内蔵、あるいは外付けされる。ドライブ９２１は、装着されているリムーバブル記録媒体９２７に記録されている情報を読み出して、ＲＡＭ９０５に出力する。また、ドライブ９２１は、装着されているリムーバブル記録媒体９２７に記録を書き込む。
【００５２】
接続ポート９２３は、機器を情報処理装置９００に直接接続するためのポートである。接続ポート９２３は、例えば、ＵＳＢ（Universal  Serial  Bus）ポート、ＩＥＥＥ１３９４ポート、ＳＣＳＩ（Small  Computer  System  Interface）ポートなどでありうる。また、接続ポート９２３は、ＲＳ−２３２Ｃポート、光オーディオ端子、ＨＤＭＩ（登録商標）（High-Definition  Multimedia  Interface）ポートなどであってもよい。接続ポート９２３に外部接続機器９２９を接続することで、情報処理装置９００と外部接続機器９２９との間で各種のデータが交換されうる。
【００５３】
通信装置９２５は、例えば、通信ネットワーク９３１に接続するための通信デバイスなどで構成された通信インターフェースである。通信装置９２５は、例えば、有線または無線ＬＡＮ（Local  Area  Network）、Ｂｌｕｅｔｏｏｔｈ（登録商標）、またはＷＵＳＢ（Wireless  USB）用の通信カードなどでありうる。また、通信装置９２５は、光通信用のルータ、ＡＤＳＬ（Asymmetric  Digital  Subscriber  Line）用のルータ、または、各種通信用のモデムなどであってもよい。通信装置９２５は、例えば、インターネットや他の通信機器との間で、ＴＣＰ／ＩＰなどの所定のプロトコルを用いて信号などを送受信する。また、通信装置９２５に接続される通信ネットワーク９３１は、有線または無線によって接続されたネットワークであり、例えば、インターネット、家庭内ＬＡＮ、赤外線通信、ラジオ波通信または衛星通信などである。
【００５４】
撮像装置９３３は、例えば、ＣＣＤ（Charge  Coupled  Device）またはＣＭＯＳ（Complementary  Metal  Oxide  Semiconductor）などの撮像素子、および撮像素子への被写体像の結像を制御するためのレンズなどの各種の部材を用いて実空間を撮像し、撮像画像を生成する装置である。撮像装置９３３は、静止画を撮像するものであってもよいし、また動画を撮像するものであってもよい。
【００５５】
センサ９３５は、例えば、加速度センサ、ジャイロセンサ、地磁気センサ、光センサ、音センサなどの各種のセンサである。センサ９３５は、例えば情報処理装置９００の筐体の姿勢など、情報処理装置９００自体の状態に関する情報や、情報処理装置９００の周辺の明るさや騒音など、情報処理装置９００の周辺環境に関する情報を取得する。また、センサ９３５は、ＧＰＳ（Global  Positioning  System）信号を受信して装置の緯度、経度および高度を測定するＧＰＳセンサを含んでもよい。
【００５６】
以上、情報処理装置９００のハードウェア構成の一例を示した。上記の各構成要素は、汎用的な部材を用いて構成されていてもよいし、各構成要素の機能に特化したハードウェアにより構成されていてもよい。かかる構成は、実施する時々の技術レベルに応じて適宜変更されうる。
【００５７】
（５．補足）
本開示の実施形態は、例えば、上記で説明したような照明装置、システム、照明装置またはシステムで実行される方法、照明装置を機能させるためのプログラム、およびプログラムが記録された一時的でない有形の媒体を含みうる。
【００５８】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００５９】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００６０】
なお、以下のような構成も本開示の技術的範囲に属する。
（１）照明部と、
ユーザが前記照明部の動作モードの切り替えを指示していることを示す信号を受信する切替信号受信部と、
音声データを取得する音声取得部と、
前記音声データを外部装置に送信し、前記外部装置が前記音声データに基づいて提供するモード定義情報を受信するモード定義情報受信部と、
前記信号によって前記動作モードの切り替えが指示された場合に、前記モード定義情報に従って前記照明部の動作モードを切り替えるモード切替部と
を備える照明装置。
（２）前記モード定義情報は、セキュリティモードの定義情報を含み、
前記モード切替部は、前記信号によって前記動作モードを前記セキュリティモードに切り替えることが指示された場合に、外部のセキュリティ装置にコマンドを送信する、前記（１）に記載の照明装置。
（３）前記モード定義情報は、前記ユーザが視聴しているテレビ番組に連動するモードの定義情報を含み、
前記モード切替部は、前記信号によって前記動作モードの切り替えが指示された場合に、前記ユーザが視聴しているテレビ番組を検出し、該テレビ番組の属性を前記照明部の照明状態に反映させる、前記（１）または（２）に記載の照明装置。
（４）前記切替信号受信部は、前記ユーザによるテレビ番組の視聴開始を前記動作モードの切替指示として検出する番組視聴開始検出部を含む、前記（３）に記載の照明装置。
（５）前記モード定義情報は、前記ユーザが聴取している楽曲に連動するモードの定義情報を含み、
前記モード切替部は、前記信号によって前記動作モードの切り替えた指示された場合に、前記ユーザが聴取している楽曲を検出し、該楽曲の属性を前記照明部の動作モードに反映させる、前記（１）〜（４）のいずれか１項に記載の照明装置。
（６）前記モード定義情報受信部は、前記音声データに含まれる音声を発したユーザに個人化された前記モード定義情報を受信する、前記（１）〜（５）のいずれか１項に記載の照明装置。
（７）前記切替信号受信部は、電源電流に重畳して送信された所定のパターンのパルス信号を前記動作モードの切替指示として検出するパルス検出部を含む、前記（１）〜（６）のいずれか１項に記載の照明装置。
（８）前記モード定義情報受信部は、さらに、前記照明部の状況、前記動作モードの切替履歴、または前記音声データの取得履歴の少なくともいずれかを前記外部装置に送信し、前記外部装置が前記照明部の状況、前記動作モードの切替履歴、または前記音声データの取得履歴の少なくともいずれかに基づいて選択した前記モード定義情報を受信する、前記（１）〜（７）のいずれか１項に記載の照明装置。
（９）照明部を有する装置のプロセッサに、
ユーザが前記照明部の動作モードの切り替えを指示していることを示す信号を受信する機能と、
音声データを取得する機能と、
前記音声データを外部装置に送信し、前記外部装置が前記音声データに基づいて提供するモード定義情報を受信する機能と、
前記信号によって前記動作モードの切り替えが指示された場合に、前記モード定義情報に従って前記照明部の動作モードを切り替える機能と
を実現させるためのプログラムが記録された記録媒体。
（１０）ユーザが照明部の動作モードの切り替えを指示していることを示す信号を受信する切替信号受信部と、
音声データに基づいて提供されるモード定義情報を受信するモード定義情報受信部と、
前記信号によって前記動作モードの切り替えが指示された場合に、前記モード定義情報に従って前記照明部の動作モードを切り替えるモード切替部と
を備える情報処理装置。
【符号の説明】
【００６１】
１０    電源ライン
２０    手元スイッチ
３０    照明装置
３１    パルス検出器
３２    照明制御回路
３３    照明部
３４    音声回路
３５    無線通信回路
３６    スピーカ
３７    マイクロフォン
３８    モード定義情報
４０    スマートフォン
【図１】
2015222910.tif 000003
【図２】
2015222910.tif 000004
【図３】
2015222910.tif 000005
【図４】
2015222910.tif 000006
【図５】
2015222910.tif 000007
【図６】
2015222910.tif 000008